(57)【要約】  本発明は、ユーザデバイス１０４上で実施されるユーザインターネットアクティビティを規制するための照明コントローラ１００であって、ユーザデバイス上で実施されるユーザインターネットアクティビティはオンライン金融取引を含み、照明コントローラ１００は、ユーザデバイス１０４上のユーザインターネットアクティビティを示す情報１０２を受信し、色温度の群からの少なくとも１つの照明特性を変化させるように光源１０５を制御するための制御信号１０３を得るために上記情報１０２を処理し、色温度の低下によってユーザがオンライン金融取引を実施するのを促進するように、又は色温度の上昇によってユーザがオンライン金融取引を実施するのを抑制するように光源を制御するための制御信号を供給することによってユーザインターネットアクティビティを規制するように構成されたプロセッサ１０１を備える、照明コントローラ１００を提供する。
2020500408.tif 000002
【特許請求の範囲】
【請求項１】
ユーザデバイス上で実施されるユーザインターネットアクティビティを規制するための照明コントローラであって、
前記ユーザデバイス上で実施される前記ユーザインターネットアクティビティはオンライン金融取引を含み、当該照明コントローラは、
前記ユーザデバイス上の前記ユーザインターネットアクティビティを示す情報を受信する、
色温度の群からの照明特性を変化させるように光源を制御するための制御信号を得るために前記情報を処理する、
色温度の低下によってユーザが前記オンライン金融取引を実施するのを促進するように、又は色温度の上昇によってユーザが前記オンライン金融取引を実施するのを抑制するように前記光源を制御するための前記制御信号を供給することによって前記ユーザインターネットアクティビティを規制する
ように構成されたプロセッサを備える、照明コントローラ。
【請求項２】
前記プロセッサは、
前記ユーザデバイス上の前記ユーザインターネットアクティビティを示す情報をメモリに記憶する、
前記制御信号を得る際に、記憶された前記情報を付加的に評価することができるように、記憶された前記情報を付加的に受信するために前記メモリにアクセスする
ように構成されている、請求項１に記載の照明コントローラ。
【請求項３】
前記プロセッサは、
前記制御信号を得る際に、データベース情報を付加的に評価することができるように、前記データベース情報を付加的に受信するために、前記データベース情報を含むデータベースにアクセスするように構成されている、請求項１又は２に記載の照明コントローラ。
【請求項４】
前記ユーザデバイス上で実施される前記ユーザインターネットアクティビティは、ショッピング、銀行取引、ギャンブル、ゲーム、寄付、格付け、又はポルノの群からのアクティビティを含む、請求項１乃至３の何れか一項に記載の照明コントローラ。
【請求項５】
前記プロセッサは、
前記光源を制御するための認証を受信する、
前記認証を認識する、
前記認証を認識後、前記光源を制御するための前記制御信号を供給することによって前記ユーザインターネットアクティビティを規制する
ように構成されている、請求項１乃至４の何れか一項に記載の照明コントローラ。
【請求項６】
前記色温度の上昇又は前記色温度の低下は、色温度初期値に対して少なくとも１００ケルビンの変化分を含む、請求項１乃至５の何れか一項に記載の照明コントローラ。
【請求項７】
請求項１乃至６の何れか一項に記載の照明コントローラと光源とを備える、照明システム。
【請求項８】
前記プロセッサは、前記光源を制御するための認証を受信するように構成されている、請求項７に記載の照明システム。
【請求項９】
前記光源は、前記光源を制御するための前記照明コントローラに認証を提供するように構成されており、前記プロセッサは、前記認証を受信するように構成されている、請求項７に記載の照明システム。
【請求項１０】
外部サーバは、前記光源を制御するための前記照明コントローラに認証を提供するように構成されており、前記プロセッサは、前記認証を受信するように構成されている、請求項７に記載の照明システム。
【請求項１１】
ユーザデバイスを備え、前記光源は前記ユーザデバイスの一部である、請求項７乃至１０の何れか一項に記載の照明システム。
【請求項１２】
オンライン金融取引を含む、ユーザデバイス上で実施されるユーザインターネットアクティビティを規制する方法であって、当該方法は、プロセッサを備える照明コントローラによって実施され、
ユーザデバイス上の前記ユーザインターネットアクティビティを示す情報を受信するステップと、
前記情報をメモリに記憶するステップと、
色温度の群からの照明特性を変化させるように光源を制御するための制御信号を得るために前記情報を処理するステップと、
色温度の低下によってユーザが前記オンライン金融取引を実施するのを促進するために、又は色温度の上昇によってユーザが前記オンライン金融取引を実施するのを抑制するために、前記光源を制御するための前記制御信号を供給することによって前記ユーザインターネットアクティビティを規制するように前記光源を制御するステップと、
を含む、方法。
【請求項１３】
前記ユーザデバイス上で実施される前記ユーザインターネットアクティビティは、ショッピング、銀行取引、ギャンブル、ゲーム、寄付、格付け、又はポルノの群からのアクティビティに関連する、請求項１２に記載の方法。
【請求項１４】
前記光源を制御するための認証を受信するステップを含む、請求項１２又は１３に記載の方法。
【請求項１５】
コンピューティングデバイス用のコンピュータプログラムであって、前記コンピューティングデバイスの処理ユニット上で前記コンピュータプログラムが実行されたとき、請求項１２乃至１４の何れか一項に記載の方法を実施するためのコンピュータプログラムコードを含む、コンピュータプログラム。
【発明の詳細な説明】
【技術分野】
【０００１】
本発明は、ユーザデバイス上で実施されるユーザインターネットアクティビティを規制するための照明コントローラに関する。本発明は更に、上記照明コントローラ及び光源を備える照明システムに関する。本発明は更に、上記照明コントローラと、光源と、ユーザデバイスと、を備える照明システムに関する。本発明は更に、照明コントローラ及びコンピュータプログラム製品によって実施される方法に関する。
【背景技術】
【０００２】
このような照明コントローラは、ユーザの気分又は照明ニーズを決定し、適切な照明スキームを導出し、その後、その照明スキームをそのユーザの所定の近接距離内の全デバイス上で実行する、アダプティブ照明用のシステムが開示されている米国特許出願公開第２０１６／００２９４５８（Ａ１）号から周知である。
【０００３】
より具体的には、ユーザの状況は、まず、ユーザが次に行うと思われること及びユーザの全般的な気分の両方のプロファイルを決定することによって決定される。これは、とりわけユーザによるウェブ対話を含む、ユーザのデバイス及び／又はセンサから入手されるコンテキスト情報に少なくとも一部基づく。コンテキスト情報に基づき、ユーザタスク、及びユーザタスクに関連する照明ニーズが推測される。
【０００４】
このようなシステムはユーザに予測的な照明は提供するものの、特定のユーザタスク自体の最中におけるアダプティブ照明条件の提供は依然として制限されるというこのようなシステムの欠点は残る。
【発明の概要】
【０００５】
本発明の目的は、光源を制御することによって、ユーザデバイス上で実施されるユーザインターネットアクティビティを規制することができる改良された照明コントローラを提供することである。また、本発明は、ユーザデバイス上で実施されるユーザインターネットアクティビティを規制するための照明コントローラであって、ユーザデバイス上で実施されるユーザインターネットアクティビティはオンライン金融取引を含み、照明コントローラは、ユーザデバイス上のユーザインターネットアクティビティを示す情報を受信し、色温度の群からの照明特性を変化させるように光源を制御するための制御信号を得るために上記情報を処理し、色温度の低下によってユーザがオンライン金融取引を実施するのを促進するように、又は色温度の上昇によってユーザがオンライン金融取引を実施するのを抑制するように光源を制御するための制御信号を供給することによってユーザインターネットアクティビティを規制するように構成されたプロセッサを備える、照明コントローラを提供する。
【０００６】
したがって、ユーザインターネットアクティビティ中にユーザデバイス上で実施されるユーザインターネットアクティビティの変化を誘導すること、又はユーザインターネットアクティビティ中にユーザデバイス上で実施されるユーザインターネットアクティビティを変化させるようにユーザを誘導することは、本出願では、色温度の低下によってユーザがオンライン金融取引を実施するのを促進すること、若しくは色温度の上昇によってユーザがオンライン金融取引を実施するのを抑制することと解釈されてもよく、又は色温度の低下によってオンライン金融取引を促進するように、若しくは色温度の上昇によってオンライン金融取引を抑制するようにユーザに影響を及ぼすことと解釈されてもよい。
【０００７】
このような照明コントローラは、ユーザデバイス上で実施されるユーザインターネットアクティビティを規制するための規制手段を提供してもよい。このような照明コントローラは、例えば、反復的、意思決定、又は嗜癖性のアクティビティなどの、規制アクションから利する、ユーザデバイス上で実施されるユーザインターネットアクティビティに特に適している。研究では、光源を制御することは、人の気分又は快適さに影響を与えることができるだけでなく、ユーザインターネットアクティビティなどの、ユーザデバイス上で実施されるアクティビティの変化（例えば、促進又は抑制）を誘導することもできることを示す。研究による例は、ユーザデバイスをオンラインショッピングのために使用しているユーザの、暖色光条件又は寒色光条件への曝露であり、当該例では、暖色光はショッピング行動を促進し、寒色光はショッピング行動を抑制するようである。したがって、光源を制御することは、ユーザアクティビティの変化を誘導し得る。加えて、照明心理学の分野における実験的研究では、寒色の照明条件に比べて、寄付は暖色光条件において増加し、金融取引は暖色の照明条件で増加することを示す。当該研究は、例えば、交渉会議又は顧客サービス通話のような信頼の概念を含むアクティビティ時における相互信頼にも当てはまり、相互信頼は、寒色の照明環境に比べて暖色の照明環境において増加し得る。
【０００８】
例えば、照明に関する教科書で知られるように、白色光の色温度は、５０００〜７０００ケルビンで昼光色と認識され、白色光は３０００ケルビン以下で電球色と認識され得る。昼白色光は、４０００ケルビンの色温度を有し得る。電球色光はインフォーマルで魅力的な周囲照明環境を生成し、昼白色光又は昼光色光はよりフォーマルな照明環境を生成する。Ｃ．Ｉ．Ｅ．色空間内の黒体軌跡によって示される白色光の全スペクトルは、Ｃ．Ｉ．Ｅ．色空間内の色温度範囲を反映している。当該曲線の近辺の色は、暖色又は寒色に、例えば、赤色が暖色に（上述のより低い色温度に近いため）、青色が寒色に（上述のより高い色温度に近いため）関連付けられてもよい。
【０００９】
例えば、暖色光は、電球色（より低い色温度）及び／又は赤みを帯びた色のような暖かさとの関連を有する色であり得る。同様に、寒色光は、昼光色（より高い色温度）及び／又は青のような寒色環境との関連を有する色であり得る。
【００１０】
したがって、ユーザアクティビティ、例えば、ユーザインターネットアクティビティの変化を誘導するために特定の照明条件が使用されてもよい。更に、ユーザアクティビティは促進されるのみであっても、抑制されるのみであっても、又は動的にその両方であってもよい。
【００１１】
本発明では、ユーザインターネットアクティビティ（又はユーザインターネットアクティビティのコンテンツ、又はユーザインターネットアクティビティ中に実施される行為、したがって、ユーザデバイス上で実施されるアクティブプロパティ）自体が、色、強度、色温度、及び変調の群からの少なくとも１つの照明特性を変化させるように光源を制御するための制御信号を得るために処理されてもよい。例えば、ユーザインターネットアクティビティがユーザデバイスのディスプレイ上で実施される場合、（上記ディスプレイのディスプレイプロパティではなく）上記ディスプレイ上で実施される特定のユーザインターネットアクティビティが、光源を制御するための上記制御信号を得るために処理される。したがって、本発明は、ユーザデバイス上で実施されるユーザインターネットアクティビティを規制するための改良された照明コントローラを提供する。
【００１２】
更に、ユーザインターネットアクティビティを規制するための照明コントローラは、その規制アクションがユーザインターネットアクティビティ中に起こる場合により効果的であり得るため、ユーザデバイス上で実施されるユーザインターネットアクティビティの変化を誘導するように光源を制御するための制御信号は、ユーザインターネットアクティビティ中に供給されてもよい。例えば、ユーザインターネットアクティビティがショッピングウェブサイト又はアダルトウェブサイトを開くことであり、これが望ましくない場合、ユーザインターネットアクティビティがこのような望ましくないアダルトウェブサイト又はショッピングウェブサイトを開くことを含むときには、本発明による照明コントローラは、色温度の低下によってユーザがオンライン金融取引を実施するのを促進するために、又は色温度の上昇によってユーザがオンライン金融取引を実施するのを抑制するために、光源を制御するための制御信号を供給することによってユーザインターネットアクティビティを規制してもよい。したがって、ユーザインターネットアクティビティ中、制御信号は直接規制アクションのために供給される。
【００１３】
更に、制御信号を得る際、照明コントローラはまた、リアルタイムで受信された情報の次に、記憶された情報を評価することができてもよい。したがって、一実施形態では、プロセッサが更に、ユーザデバイス上のユーザインターネットアクティビティを示す情報をメモリに記憶し、制御信号を得る際に、記憶された情報を付加的に評価することができるように、記憶された情報を付加的に受信するためにメモリにアクセスするように構成されている、本発明による照明コントローラが提供される。したがって、照明コントローラは、記憶された情報を付加的に受信するために上記メモリにアクセスすることができ、情報は、受信された情報の全てが、制御信号を得るために処理されるときに考慮に入れられてもよい。光源を制御するためにより複雑かつ正確な制御信号が得られ得るため、記憶された情報を利用することは有利であり得る。例えば、記憶された情報は、ユーザインターネットアクティビティの規制を示す過去の記録及び／又はユーザインターネットアクティビティに関する累積情報を含んでよい。上記メモリは、プロセッサに関連して、あるいは、フラッシュメモリデバイス又はハードディスクドライブなどの外部メモリデバイス内に配置されてもよい。メモリは、ユーザデバイスに追加された又はユーザデバイス内に元々存在するメモリであってもよい。メモリはまた、リモートストレージサーバなどのユーザデバイスを通じて、インターネットによりアクセス可能であってもよい。
【００１４】
したがって、上記制御信号は、リアルタイムで受信された情報及び以前に記憶された情報を処理することから推定されてもよい。上記制御信号はまた、ユーザデバイス上で実施されるユーザインターネットアクティビティを規制するために記憶された情報が必要とされない場合には、リアルタイムで受信された情報のみを含んでもよい。上記制御信号は、プロセッサから発生する電気信号であってもよい。上記制御信号は、色、強度、色温度、及び変調の群からの少なくとも１つの照明特性を変化させるように光を制御するように構成されてもよい。上記制御信号はまた、複数の信号、又は複数の光源用の複数の信号、又は照明デバイス以外のデバイスの一部である光源を制御するための信号を含んでもよい。上記制御信号はまた、例えばＬＥＤストリップなどの複数の光源内の光源を個別に制御するための、及びＬＥＤストリップの特定の部分のみを制御するための信号を含んでもよい。
【００１５】
更に、上記制御信号は、リアルタイムで受信された情報及び記憶された情報の次にデータベース情報を処理することから得られてもよい。一実施形態では、本発明による照明コントローラのプロセッサは更に、制御信号を得る際に、データベース情報を付加的に評価することができるように、データベース情報を付加的に受信するために、データベース情報を含むデータベースにアクセスするように構成されていてもよい。上記制御信号を得るためにデータベースから取得されるデータベース情報は、ユーザインターネットアクティビティ及び規制が望まれる条件に関する付加的な（又は補完的な）情報を照明コントローラに提供し得るため、これは照明コントローラの規制アクションに有利である。
【００１６】
一実施形態では、データベース情報は、財政データ、健康データ、又は個人ユーザ情報データを含んでもよい。ユーザインターネットアクティビティのためにユーザデバイスを使用するユーザの財政状態がどのようなものであるかは既知であり得るため、財政データに関するデータベース情報を受信するためにデータベースを利用することは、例えば、ユーザインターネットアクティビティに対して規制アクションを与えるのに有益であり得る。財政データは、例えば、銀行口座データ、オンライン決済クレジットデータ、課金データ、購入履歴、又は収入概要であってもよい。更に、ユーザインターネットアクティビティのためにユーザデバイスを使用するユーザが嗜癖に対処しているか否かが判断され得るため、健康データを受信することは有利であり得る。健康データは、例えば、外部データベースに記憶されたリアルタイム健康データを含んでもよく、健康データは、ユーザインターネットアクティビティのためにユーザデバイスを使用するユーザの生理学的状態を示してもよい。ユーザインターネットアクティビティの誘導可能な変化は、ユーザインターネットアクティビティのためにユーザデバイスを使用するユーザの現状についてより多くのことを知るとより効果的に誘導され得るため、これは、制御信号を得る際に考慮に入れると有利であり得る。健康データは、例えば、健康レポート、心拍数、呼吸、発汗レベル、眼球運動、又は血圧のような現在の生理学的パラメータデータであってもよい。個人情報データは、ユーザインターネットアクティビティを実施するためにユーザデバイスを使用するユーザに関する公式機関データベースデータであってもよい。個人情報データはまた、客の取引、コメント、又は好みの履歴を示す顧客データであってもよい。
【００１７】
上記データベース情報は、外部サーバ上の、内部若しくは外部メモリに記憶された、又はスマートフォン、スマートウォッチ、及び他のウェアラブルデバイスなどのローカル外部デバイスに記憶されたデータベースから得られてもよい。
【００１８】
したがって、本発明によって提供される照明コントローラは、規制フィードバックループが閉じられているため、ユーザデバイス上で実施されるユーザインターネットアクティビティを規制するのに有利であり得る。ユーザインターネットアクティビティ中、色温度の低下によってユーザがオンライン金融取引を実施するのを促進するために、又は色温度の上昇によってユーザがオンライン金融取引を実施するのを抑制するために光源を制御するための制御信号が供給され、これは、色温度の群からの少なくとも１つの照明特性を変化させるための制御信号であってもよい。制御信号は、ユーザデバイス上のユーザアクティビティを示す情報を処理することによって得られてもよい。したがって、上記ユーザインターネットアクティビティを規制するために規制フィードバックループは閉じられている。
【００１９】
照明コントローラは別個の独立型コントローラであってもよい。しかしながら、ユーザデバイス上で実施されるユーザインターネットアクティビティと上記ユーザインターネットアクティビティを規制するための照明コントローラとが、なお別個のデバイスでありながらも単一のユーザデバイス本体の一部であるように、コントローラは、ユーザデバイスに本体で一体化されてもよい。これにより、ユーザインターネットアクティビティを示す情報の受信及び処理が円滑になり得る。更に、照明コントローラは、ユーザデバイス上に存在するアプリケーション又はコンピュータプログラム製品の一部であってもよい。あるいは、照明コントローラはユーザデバイスから分離されていてもよく、光源と接続して配置されていてもよい。更に代替的には、照明コントローラは、ブリッジ、ユーザデバイスではないスマートフォン、又は照明コントローラデバイスなど別個の独立型デバイスの一部であってもよい。
【００２０】
上記ユーザデバイスは、ユーザインターネットアクティビティを実施するのに適したデバイスである。これは、本出願で述べられるアクティビティに特に適している。ユーザインターネットアクティビティがユーザデバイス上で実施される際、デバイスはインターネットに接続可能である。これは、ネットワーク接続、Ｗｉ−Ｆｉなどの無線ネットワーク接続、又は例えば、可視光通信（visible light communication；ＶＬＣ）、赤外線、ＺｉｇＢｅｅ、若しくはＢｌｕｅｔｏｏｔｈによる、インターネットに接続する別の手段によるものであってもよい。一実施形態では、ユーザデバイスはハンドヘルド型デバイスであってもよい。多くのユーザインターネットアクティビティはハンドヘルド型ユーザデバイス上で最良に実施されるため、このようなユーザデバイスに、ユーザデバイス上で実施される上記ユーザインターネットアクティビティを規制するための照明コントローラを設けることは有益であり得る。更に、一実施形態では、上記ユーザデバイスは、スマートフォン、タブレット、ノートブック、パーソナルコンピュータ、ゲーム機、電子リーダ、スマート冷蔵庫、又はスマートテレビであってもよい。当該デバイスは全て、ユーザインターネットアクティビティの変化がユーザインターネットアクティビティ中に光源を制御するための（本発明の）制御信号を供給することによって誘導され得る、ユーザインターネットアクティビティを実施することが可能であり得る。
【００２１】
上記ユーザインターネットアクティビティは、インターネットに接続されたページの閲覧、検索エンジンでの検索、アプリケーションの実行、ソーシャルメディアアクティビティの実施、チャット又はメール、ビデオ通話、インターネットからダウンロードしたカタログの閲覧、ファイルのダウンロード、ゲーム、拡張現実に基づくゲーム、ウェブ記事を読むこと、及びウェブ上での情報の送信又は受信、インターネットに接続されたスマートテレビ上でのアプリケーションの使用などの、ウェブとの対話であってもよい。上記ユーザインターネットアクティビティはまた、ローカルネットワーク又はプライベートネットワーク上で実施されてもよい。
【００２２】
更に、一実施形態では、上記ユーザインターネットアクティビティは、人工照明によって照明される屋内アクティビティであってもよい。人工照明によって照明される屋内アクティビティは（あまり制御可能ではない）自然光条件の干渉による影響がより少ない場合があるため、人工照明によって照明される屋内アクティビティの規制は照明コントローラによる規制アクションをより受けやすい場合があることから、これは有利である。
【００２３】
ユーザデバイス上で実施される上記ユーザインターネットアクティビティは、光源を制御することによる規制に適したアクティビティを含んでもよく、照明特性は、上記ユーザインターネットアクティビティを促進又は抑制し、ユーザインターネットアクティビティの変化を誘導することができる。したがって、一実施形態では、ユーザデバイス上で実施されるユーザインターネットアクティビティは、ショッピング、銀行取引、ギャンブル、ゲーム、寄付、格付け、又はポルノの群からのアクティビティを含んでもよい。光源の制御は、ユーザインターネットアクティビティ（又は行動）の変化を誘導するための鋭敏な手段を提供し得るため、このようなアクティビティを本発明による照明コントローラを用いて規制することは有利であり得る。例えば、目立たない環境光を寒色（例えば昼光色）から暖色（例えば電球色）の光に制御することで、慈善団体ウェブサイト又はクラウドファンディングウェブページに対して行われる寄付を促してもよい。
【００２４】
ここでは、例えば、ショッピングは、オンラインショッピング、又はより具体的には、ウェブストア若しくは市場の製品のオンラインショッピングに関連してもよい。これはまた、そのカタログがウェブからダウンロードされた製品のオフラインカタログ閲覧に関連してもよい。これは更に、購入又は販売のいずれかのためのオンライン広告に関連してもよい。ユーザデバイス上で製品のオンラインショッピングを示す情報を処理することによって、色、強度、色温度、及び変調の群からの少なくとも１つの照明特性を変化させるように光源を制御するための制御信号が得られてもよい。その後、製品のオンラインショッピング中に制御信号を供給することによって、光源を制御信号に従い制御することにより、ユーザデバイス上のオンラインショッピングアクティビティの変化を誘導してもよい。したがって、オンラインショッピングアクティビティを低減するために規制アクションが必要とされる場合、光源を制御するための制御信号は、オンラインショッピングアクティビティを抑制するために寒色温度の環境光を提供するための信号を含んでもよい。一方で、オンラインショッピングアクティビティを増加するために規制アクションが必要とされる場合、光源を制御するための制御信号は、暖色温度の環境光を提供するための信号を含んでもよい。同様に、光源の制御もまた、製品カタログの閲覧の変化を誘導してよい。製品カタログの閲覧が促進規制アクションを必要とする場合、光源を制御するための制御信号は、カタログ内の製品及びブランドの色を強調表示する有色光を提供するための信号を含んでもよい。あるいは、後者の例を参照すると、抑制規制アクションは、例えば、コントラスト又は色差を減少することによってカタログ内の製品の色にマイナスの影響を及ぼす有色光を含んでよい。
【００２５】
銀行取引は、例えば、オンラインバンク取引、決済準備、又は証券取引アクティビティに関連してもよい。ギャンブルは、例えば、オンラインギャンブル又はギャンブルクレジットの購入に関連してもよい。ゲームは、例えば、オンラインゲーム、又はゲーム内クレジット及び／若しくはゲーム製品の購入に関連してもよい。寄付は、例えば、オンライン寄付、又はクラウドファンディング製品への支援に関連してもよい。格付けは、例えば、ホテル、休日、レジャー活動、ビデオ、ソーシャルメディア投稿、映画、ドラマシリーズ、ウェブサイト、又は消費者製品の格付けに関連してもよい。ポルノに対する全ての言及は、アダルト及び適法ポルノ、又は他の適法ではあるが不適切なコンテンツへの言及である。ポルノは、例えば、ポルノ（アダルト）ウェブサイトの訪問、ポルノコンテンツの閲覧に対する支払い、ポルノコンテンツの検索、ポルノコンテンツのダウンロード、又はポルノコンテンツの生放送に関連してもよい。
【００２６】
複数のユーザインターネットアクティビティがまた、ユーザデバイス上で同時に実施され得る。上記複数のユーザインターネットアクティビティはまた、ユーザデバイス上で同時にアクティブとなり得る。ユーザインターネットアクティビティはまた、異なるアクティビティ間の切り替えを含んでもよい。プロセッサは、異なるインターネットアクティビティを同時に解析及び処理することができてもよい。
【００２７】
本発明はまた、上記ユーザインターネットアクティビティを規制することができる可能性のある照明コントローラを提供するため、ユーザデバイス上で実施されるユーザインターネットアクティビティが嗜癖に関係する場合に有利である。したがって、一実施形態では、ユーザデバイス上で実施されるユーザインターネットアクティビティは、嗜癖行動に関連してもよい。したがって、本発明は、嗜癖アクティビティを規制するための改良された照明コントローラを提供してもよい。更に、これは照明コントローラであるため、例えば、制御される光源が周囲、背面照明、又は光治療を提供し得る際に、嗜癖アクティビティの規制は目立たなくてもよい。光治療の場合、インターネットアクティビティを示す情報又はデータベース情報は、光治療の性質を導出するために使用されてもよい。例えば、健康記録は、ユーザインターネットアクティビティのためにユーザデバイスを使用する特定の嗜癖性のユーザに有効な光治療に関する情報を含んでもよい。あるいは、照明特性の性質自体もまた、ユーザインターネットアクティビティのためにユーザデバイスを使用するユーザ自身によって特定可能であってもよい。嗜癖性のユーザ（又は彼らの監督者）は、例えば、ユーザの規制要件に合わせて調整された照明特性のセットを定義してもよい。
【００２８】
前述のように、ユーザデバイス上で実施されるユーザインターネットアクティビティは、金融取引を含んでよい。金融取引は、ドル、ユーロ、ポンドのような実際の通貨の取引であってもよく、しかしまた、ゲーム内製品を購入するためのゲーム内クレジットのような仮想通貨、又はビットコインのようなデジタル通貨の取引であってもよい。このような金融取引は、とりわけ、ユーザインターネットアクティビティが金銭の消費のような嗜癖に関連し得る場合に規制アクションから利することができるユーザインターネットアクティビティであり得る。金融取引は、オンラインでの商品の購入又はオンラインでのサービスへの支払いも含んでもよい。逆に、オンライン小売店の場合、オンライン購入アクティビティはオンライン金融取引アクティビティを促すことによって最大化されてもよい。オンライン小売店はまた、後払いで決済が行われる場合に、悪い支払い記録を有する対象者よる商品の購入を抑制してもよい。更に、金融取引を含む、ユーザデバイス上で実施されるユーザインターネットアクティビティはまた、請求額が支払われ得る及び個人金融取引が行われ得るインターネット銀行取引であってもよい。
【００２９】
別の実施形態では、ユーザデバイス上で実施されるユーザインターネットアクティビティは、望ましくない又は不適切なインターネットアクティビティを含んでもよい。このような望ましくない及び不適切なインターネットアクティビティは、プロセッサによって受信可能な情報に示されてもよい。更に、上記情報は、ユーザ入力デバイスを通じて、望ましくない又は不適切であるとユーザによりタグ付けされてもよい。例えば、望ましくない及び不適切に分類されるインターネットアクティビティは、プロセッサがユーザインターネットアクティビティを望ましくない及び不適切であると認識することができるように、ユーザデバイス内で分類されてもよい。望ましくない及び不適切なインターネットアクティビティは、アダルトウェブサイト、過剰な暴力を伴うウェブサイト、並びに望ましくない及び不適切なプロパガンダを有するウェブサイトなどの適法の望ましくない及び不適切なウェブサイトの訪問を含んでもよい。
【００３０】
別の実施形態では、ユーザデバイス上で実施されるユーザインターネットアクティビティは、オンライン通信対話を含んでもよい。上記通信対話は、例えば、（現実又は人工のいずれかの）顧客サービス担当者、ビジネスパートナ、又は組織の代表者とのメール、チャット、又はビデオ会議であってもよい。上記オンライン通信対話はまた、顧客サービス通話が金融取引プロセスの一部であるオンライン金融取引の一部であってもよい。このようなオンライン通信対話は、照明特性が上記ユーザインターネットアクティビティ内における相互信頼を促すか又は抑制し、したがって、ユーザインターネットアクティビティの変化を誘導することができる、光源の制御による規制に有利に適し得る。変化は、課題のより効率的又はより効果的な解決策であり得、通信対話の鍵である。例えば、客がオンライン顧客担当者と通信することによって客の問題を解決しようとするオンライン顧客サービスへの移行が見られており、上記問題は客と顧客担当者との間に相互信頼が存在する場合に、より迅速かつより効果的に解決される。前述のように、研究は、相互信頼が寒色の照明環境に比べて暖色の照明環境において増加する場合があることを示している。したがって、本発明は、上記ユーザインターネットアクティビティのためにユーザデバイスを使用するユーザの相互信頼を促すことによって（顧客サービスなどの）オンライン通信対話を向上させるのに有利である。他の例としては、オンライン購入、販売、又は製品に関する交渉、金融取引の欠陥を訂正するためのオンライン通信、事業交渉、オンライン就職面接、又は金融取引が含まれる契約交渉を含んでもよい。
【００３１】
上記プロセッサは、とりわけ、ユーザデバイス上のユーザインターネットアクティビティを示す情報を処理するように構成されている。したがって、上記プロセッサはユーザデバイスと接続している。一実施形態では、プロセッサはユーザデバイスの一部である。このようにして、プロセッサ、ゆえに、ユーザインターネットアクティビティの規制アクションは、ユーザデバイス自体の内部から制御されてもよい。ユーザデバイスはこのようなプロセッサをホストすることをすでに可能とされ得るため、これは有利である。ユーザデバイスはまた、メモリを含んでもよく、プロセッサは、メモリから、ユーザデバイス上のユーザインターネットアクティビティを示す記憶された情報を受信することができる。別の実施形態では、プロセッサは光源の一部である。このように、照明コントローラは、供給された制御信号が伝送損失なく制御される光源により早く到達することができるように、光源に近接して配置されてもよい。
【００３２】
一実施形態では、照明コントローラは、情報を送信及び受信するための通信デバイスを含んでもよく、プロセッサは、通信デバイスと接続していてもよい。更に、上記情報は、外部デバイスに送信されてもよく、又は外部デバイスから受信されてもよい。当該通信デバイスは、Ｗｉ−Ｆｉ受信機、Ｂｌｕｅｔｏｏｔｈアンテナ、ＲＦビーコン、ＶＬＣ用に配置されたカメラ若しくは光源、又はＺｉｇＢｅｅチップであってもよい。このような情報を外部デバイスから受け入れることによって、光源を制御するために得られる制御信号がより正確になり得、ユーザインターネットアクティビティ中にユーザデバイス上で実施されるユーザインターネットアクティビティの変化がより効率的に誘導され得る。このような外部デバイスはセンサであってもよいが、本発明のユーザデバイス上若しくは他のユーザデバイス上のいずれかにおけるユーザインターネットアクティビティを監視する他のデバイス又は手段であってもよい。このような外部デバイスはまた、データベースデータを含むサーバであってもよい。
【００３３】
更に、言及したように、ユーザデバイス上で実施されるユーザインターネットアクティビティを規制することは有利である。一実施形態では、ユーザインターネットアクティビティを示す情報は、訪問した特定のウェブサイト、訪問したウェブサイトの種類、ウェブサイトを訪問した所要時間、ウェブサイトを訪問した頻度、及びウェブサイト上で特定の物品を見た頻度、の群のうちの少なくとも１つを含む。訪問した特定のウェブサイト、訪問したウェブサイトの種類、所要時間、及び頻度、又はウェブサイト上で見た特定の物品に関連する情報などの、ユーザデバイス上で実施されるアクティビティに関連する情報を処理することによって、ユーザデバイス上で規制されるアクティビティに関するより正確な評価が行われてもよい。例えば、ユーザデバイス上のアクティビティは、ショッピングウェブサイトを２０回訪問し、そのうち数時間が特定の望ましくない製品を見て、購入することに費やされることを含み得る。したがって、ショッピングアクティビティは規制されることが望ましい。このような場合、プロセッサは、ユーザインターネットアクティビティ中にユーザインターネットアクティビティの変化を誘導し得る寒色光に光源を制御するための制御信号を供給するように構成されているが、理由は、このような寒色光が、ショッピングウェブサイトを訪問し、上記製品をオンラインで購入するアクティビティを抑制することができるからである。一実施形態では、ユーザインターネットアクティビティを示す情報は、アクティビティの時刻及び日付を含む。アクティビティの時刻及び日付を知ることは、異なる時刻に実施されるアクティビティが異なるように規制され得るため、有利となり得る。例えば、夜間には、嗜癖アクティビティは日中に比べてより厳密に規制されてもよい。したがって、制御信号は、時刻に応じて異なってもよい。
【００３４】
金融取引の場合、暖色光はそのような取引を刺激し、寒色光はそのような取引を刺激しない。したがって、ユーザデバイス上で実施されるユーザインターネットアクティビティが金融取引を含む照明コントローラの一実施形態では、プロセッサは、金融取引に関連するユーザインターネットアクティビティを抑制するための寒色光を含む光を提供するように、又は金融取引を促進するための暖色光を含む光を提供するように光源を制御するための出力信号を供給するように構成されてもよい。例えば、寒色光は、白色光スペクトル内の青色光であってもよく、暖色光は、白色光スペクトル内の赤色光であってもよい。このようにして、金融取引は、本発明の照明コントローラによって規制されてもよい。金融取引は、購入嗜癖に対処するなどのプライベート環境においても規制を必要とし得るため、これは有利である。
【００３５】
一部前述したように、「暖色光」及び「寒色光」の概念は、白色光スペクトル上の暖色温度及び寒色温度をそれぞれ示す。したがって、初期照明条件を暖色温度又は寒色温度に規制することは、当業者には明らかである。したがって、光源の照明特性を暖色温度に変化することは、色温度をより低い温度値に低下させることとして示される。これは逆に、照明特性を寒色温度に変化させることにも当てはまる。例えば、初期色温度は、「赤色光」の色を示す１５００ケルビンであってもよい。続いて、色温度を例えば２０００ケルビンに上昇させることは、寒色温度への変化としてすでに認識され得るが、光は依然として視覚的に「赤みを帯びた」色であり得る。逆に、色温度を例えば１０００ケルビンに低下させることは、暖色温度への変化としてすでに認識され得るが、光は依然として視覚的に「赤みを帯びた」色であり得る。暖色温度へのわずかな変化であってもユーザインターネットアクティビティを変化させるための誘導的効果として認識可能であり得るため、このような小さな漸進的上昇又は低下は、本発明におけるようなユーザインターネットアクティビティの変化を誘導するのに十分であり得る。これは、馴化の場合に有利な効果であると思われる。ここで、馴化とは、ユーザデバイスを使用するユーザが色温度初期値に馴化され得ることを示す。しかしながら、上記色温度初期値から認知可能に逸脱しているあらゆる変化分は、ユーザインターネットアクティビティの変化をすでに誘導し得る。このような変化分は、白色光スペクトルの色温度範囲上において少なくとも１００ケルビン、例えば、１５０Ｋ又は２５０Ｋであってもよい。
【００３６】
一実施形態では、照明コントローラは、照明特性を検知するように構成されたセンサによって提供されるセンサ出力を受信及び処理するように構成されている。このようなセンサは、例えば、環境照明条件に関するセンシングデータを提供してもよい。照明コントローラは、このようなデータを、制御信号を得るために使用してもよい。例えば、上記センサが夜間に対応する環境照明条件を検知すると、照明コントローラは、処理される制御信号を適応させる又は調整するためにセンシングデータを処理してもよい。
【００３７】
プロセッサは、光源を制御するための制御信号を供給することができ、制御信号は、ユーザデバイス上のアクティビティの変化を誘導するように構成されている。しかしながら、本発明の規制アクションは、認証なしでは必ずしも望ましいとは限らない場合がある。したがって、一実施形態では、プロセッサは、光源に制御信号を供給するための認証を受信するように構成されている。あるいは、プロセッサは、光源を制御するための認証を受信するように構成されている。このような認証は、プロセッサに関連するユーザデバイス上の記憶デバイス上に記憶されてもよい。あるいは、認証は、記憶された情報も記憶されているメモリに記憶されてもよい。認証は、デジタルプロトコル又はユーザデバイスへのユーザ入力であってもよく、後者の場合、照明コントローラはユーザインターフェースを含んでもよい。例えば、認証は、親による、自身の子供のユーザインターネットアクティビティの規制を可能にするためのユーザ入力であってもよい。プロセッサは、認識後に光源がプロセッサによってアクセス可能であるように、認証を認識することができてもよい。ユーザデバイス上で実施されるユーザインターネットアクティビティを規制するための照明コントローラは、規制されるアクティビティの結果に対して大きな影響を及ぼし得るため、ユーザデバイス上で実施されるユーザインターネットアクティビティの照明コントローラによって規制が提供される前に認証が有益であることが分かり得ることから、このような認証を提供することは有利である。同様の認証についてはまた、本発明による照明システムと併せて後述される。
【００３８】
認証はまた、照明コントローラと接続しているユーザ入力デバイスによって提供されてもよい。このようなユーザ入力デバイスは、タッチスクリーン又はボタンなどのユーザインターフェースを含んでもよい。
【００３９】
本発明によれば、制御信号を供給することにより、光源は、プロセッサによって、ユーザデバイス上のユーザインターネットアクティビティの変化を誘導するように制御可能である。光源は、従来の白熱型の光源、後付けランプ、又はＬＥＤ、ＯＬＥＤ、ＬＥＤストリップのような半導体照明デバイスであってもよい。光源はまた、例えば、バックライト、フロントライトなどのユーザデバイス内に組み込まれてもよく、又はＬＥＤ照明がディスプレイを取り囲むことを特徴とするＰｈｉｌｉｐｓ  Ａｍｂｉｌｉｇｈｔディスプレイなどの一体型ＬＥＤ照明であってもよい。光源はまた、独立型照明器具、ライトスポット、又はピクセル化ライトスポットとしてユーザデバイスから分離されていてもよい。光源はまた、Ｐｈｉｌｉｐｓ  Ｈｕｅのようなスマート電球又は類似の製品であってもよい。光源はまた、少なくとも１つの光源であってもよく、光源は、光源のアレイの一部又は一連の光源の一部である。光源は、単一のコヒーレント光効果又は個々の光効果をそれぞれ提供してもよい。光源は複数の光源であってもよい。
【００４０】
光源は、色、強度、色温度、及び変調の群からの少なくとも１つの照明特性を変化させることができる。
【００４１】
光源は、環境照明、間接照明、又はユーザデバイス若しくはユーザインターネットアクティビティのためにユーザデバイスを使用するユーザに向けられるような指向性照明を提供してもよい。
【００４２】
光源はまた、テレビのディスプレイ又はスマートフォンのディスプレイなどの従来とは異なった光源であってもよい。このような場合、ディスプレイは光源である。色、強度、色温度、及び変調の群からの、ディスプレイの少なくとも１つの照明特性を変化させてもよい。例えば、ディスプレイの背景色温度は、商品の購入を促進するために暖色温度にわずかに（又はユーザインターネットアクティビティを実施するユーザデバイスのユーザに意識されずに）制御されてもよい。あるいは、背景色温度は、ビデオ会議通話が実施されているとき、ユーザインターネットアクティビティを実施するユーザデバイスのユーザを（例えば、会議通話を行っている間にユーザがインターネットで遊ぶのを抑制することによって）会議通話のフォーマルな設定内に留めるために、寒色温度に制御されてもよい。あるいは、例えば、ディスプレイの照明特性は、コントラスト差がユーザインターネットアクティビティの変化を誘導し得るように、製品のロゴを、本来意図された色と比較すると訴求性が低く見えるようにする照明条件を提供するなど、局所的に変化してもよい。
【００４３】
有色光及び／又は色温度は、ユーザデバイス上のユーザインターネットアクティビティの変化を誘導してもよい。照明の色は、ユーザデバイス上で実施されるアクティビティを促進する又は抑制するように思われる。例えば、白色光スペクトルのより低い色温度である赤みを帯びた光などの暖色光温度は、ショッピング、支払いなどのアクティビティ、相互信頼、人との繋がり、寄付、ポルノを見ること、ギャンブル、又は格付けを行うことを含むアクティビティを促進し得る。例えば、白色光スペクトルのより高い色温度である青みを帯びた光などの寒色光温度は、前述のアクティビティを反対に抑制し得る。安定した色温度を有する他の例示的な色は、同様の効果を有し得る。したがって、色スペクトルの他の色もまた、ユーザデバイス上のアクティビティの変化を誘導する際に有益であることが分かり得る。
【００４４】
環境照明又は指向性照明の色もまた、物体の認知を変化させてもよい。例えば、ユーザデバイスのディスプレイ上に表示されるウェブショップ上の製品は、異なる色条件において異なって見えてもよい。製品の色は、光源を制御することによって強調されてもよい、又は反対に、製品の訴求性が低く見えるように周囲に溶け込ませてもよい。
【００４５】
例えば、眠気の増加及びパフォーマンスの低下を弱める際には、青色光が、緑色光に比べてより効果的であることが示されている。結果として、青色光は、ユーザインターネットアクティビティに関連する機能的タスクを促進することができる。例えば、研究では、青色光を強めたオフィス照明は、ユーザインターネットアクティビティの中でも、タスクのパフォーマンスを増大させる。別の例では、機敏さ及び情報処理の速度に関しては、青色光照明は、黄色光（及びまた緑色光）に比べてより効果的であることが判明している。金融取引に関する情報が処理される必要がある金融取引を含むユーザインターネットアクティビティ、例えば証券取引アクティビティでは、青みを帯びた光の照明は、ユーザインターネットアクティビティの向上を誘導することができる。これは青色を強めた白色光にも当てはまり得る。
【００４６】
色及び色温度のセットを含む光治療又は光シーンもまた、適用されてもよい。
【００４７】
光強度もまた、ユーザデバイス上のユーザインターネットアクティビティの変化を誘導してもよい。明るさを落とした（低強度）光は、ショッピング、支払いなどのユーザインターネットアクティビティ、相互信頼、人との繋がり、寄付、ポルノを見ること、ギャンブル、又は格付けを行うことを含むアクティビティを促進することができる。反対に、より高強度の光は、上記ユーザインターネットアクティビティを抑制することができる。しかしながら、より高強度の光は、文字を読むこと、又は集中が重要となる作業（例えば、書くこと、計算すること、及び作画すること）に関連する機能的アクティビティなどの他のユーザインターネットアクティビティを促進することができる。
【００４８】
光変調もまた、ユーザデバイス上のユーザインターネットアクティビティの変化を誘導してもよい。例えば、特定のユーザインターネットアクティビティが促進を必要とする場合、ユーザインターネットアクティビティは、複数回の光のナッジ（nudges）（短く点滅する光）によって促進され得るが、理由は、それが承認の個人的なナッジに似ているからである。一方で、光出力の連続的な振動は、ユーザインターネットアクティビティを抑制し得るが、理由は、それが危険又は警報の共通概念に似ているからである。１日の時間の中における光変調もまた、覚醒状態及びタスクの実施の調整において有益であることが分かり得る。
【００４９】
光変調はまた、照明力学を含んでもよい。したがって、動的な照明シーン、例えば、日没シーン若しくは薄暗いシーンを提供する、又は水滴を有する降雨の光画像を含むシーンを提供する。このようなシーンは、ユーザの決定に関して思考するための時間が影響され得るように、ユーザインターネットアクティビティのためにユーザデバイスを使用するユーザがより遅い時間の経過又はより早い時間の経過を認識し得る周囲環境を提供し得る。例えば、購入のためのより長い思考時間は、「休日」照明シーン（例えば、さざ波を立てて流れる水又は緑の揺れる木々を模した光源）を提供することによって誘導されてもよく、又はその逆に、「都市／交通」照明シーン（例えば、速い自動車の交通及び自動車のライトを模した光源）を提供することによって減少させてもよい。したがって、例えば、規制アクションはまた、ユーザの思考時間（又は感情）に影響を与えることを含んでもよい。
【００５０】
本発明の更なる目的は、光源を制御することによって、ユーザデバイス上で実施されるユーザインターネットアクティビティを規制することができる改良された照明システムを提供することである。このため、本発明は、本発明の第１の態様による照明コントローラと光源とを備える照明システムを提供する。このような照明システムは、ユーザデバイス上で実施されるユーザインターネットアクティビティを規制するための規制手段を提供してもよい。このような照明システムは、照明コントローラと光源の両方を備え、このことは、照明コントローラ及び光源が照明システムの目的を達成するよう互いにより専念し得るため、有利である。したがって、光源は照明コントローラと常に適合する。更に、上記照明システムは、単一の本体内に組み込まれた照明コントローラ及び光源を含んでもよい。
【００５１】
照明システムによって提供される規制アクションは、認証なしでは必ずしも望ましいとは限らない場合がある。例えば、ユーザインターネットアクティビティを実施するユーザデバイスのユーザは、本発明による照明システムを実行するか否かを自身で決定してもよい。更に、例えば、他の自然人（例えば親）又は機関が、ユーザインターネットアクティビティのためにユーザデバイスを使用する別のユーザのために、本発明による照明システムを実行するか否かを決定してもよい。また更に、例えば、したがって、プログラム又はウェブサイトなどのデジタルエンティティが、ユーザインターネットアクティビティのためにユーザデバイスを使用するユーザのために、本発明による照明システムを実行するか否かを決定してもよい。したがって、照明コントローラによって光源を制御する前に認証が望まれてもよい複数の例が提供され得る。
【００５２】
このため、光源は、照明コントローラのプロセッサに提供される認証によって制御するためにのみアクセス可能であってもよい。したがって、一実施形態では、プロセッサは、光源を制御するための認証を受信するように構成されている。このような認証は、照明コントローラのプロセッサに関連するユーザデバイス上の記憶デバイス上に記憶されてもよい。あるいは、認証は、前述のように、記憶された情報も記憶されているメモリに記憶されてもよい。認証は、デジタルプロトコル又はユーザデバイスへのユーザ入力であってもよい。プロセッサは、認識後に光源がプロセッサによって制御可能（アクセス可能）であるように、認証を認識することができてもよい。ユーザデバイス上で実施されるユーザインターネットアクティビティを規制するための照明システムは、規制されるアクティビティの結果に対して大きな影響を及ぼし得るため、ユーザデバイス上で実施されるユーザインターネットアクティビティの照明システムによって規制が提供される前に認証が有益であることが分かり得ることから、このような認証を提供することは有利である。
【００５３】
上記認証は、必ずしもユーザデバイス上に存在しなくてもよい。認証は、例えば、別の照明システム、別のユーザデバイス、又は外部サーバなどの別のデバイスにより提供されてもよい。上記認証はまた、認証、ゆえに、照明システムの動作が動的に提供されるように、別のデバイスによって制御可能であってもよい。したがって、一実施形態では、光源は、光源を制御するための照明コントローラに認証を提供するように構成されており、プロセッサは、上記認証を受信するように構成されている。光源のコントロールにアクセスするための認証は、光源自体の内部に既に記憶されていてもよく、これにより、照明システムの光源がプラグアンドプレイであることを可能にすることから、光源からユーザデバイスに認証を提供することは、本発明による照明システムを実行するために有利であり得る。したがって、認証された光源を設けることは、照明システムを直接有効にする。
【００５４】
別の実施形態では、外部サーバは、光源を制御するための照明コントローラに認証を提供するように構成されており、プロセッサは、上記認証を受信するように構成されている。光源を制御するための認証が外部サーバに容易に記憶され、維持され得るため、外部サーバから照明コントローラに認証を提供することは、本発明による照明システムを実行するために有利であり得る。例えば、光源を制御するための認証は、特定の時間インスタンスに１回与えられてもよく、外部サーバに記憶されてもよく、その後、サーバは、所望のとおりに認証を提供してもよく、又は認証を制御してもよい。外部サーバに認証を提供することで、光源を制御するためのアクセシビリティを円滑にしてもよい。例えば、オンライン小売業者は複数のユーザに対する認証を有するデータベースを構築してもよく、上記ユーザが本発明のユーザデバイスを用いてオンラインで買い物をするとき、及び上記ユーザが本発明の照明システムを有しているとき、オンライン小売業者は、上記ユーザに対応する照明システムにアクセスすることができてもよく、ユーザインターネットアクティビティの変化（例えば、暖色光温度を含む制御信号を提供することによるより多くのオンライン購入）を誘導するように照明システム内の光源を制御してもよい。
【００５５】
上記外部サーバは、小売店のサーバ、ウェブショップ、銀行、カジノ、ゲームのホスト、慈善団体、比較ウェブサイト、ポルノウェブページのサーバであってもよい。例えば、ウェブショップの外部サーバは、照明システムの光源を制御するための初期認証を与えられてもよい。外部サーバ、すなわちこの例ではウェブショップから認証を受信する照明コントローラのプロセッサは、光源を制御するための（本発明による）制御信号を後に供給してもよい。ウェブショップでのショッピングに関連する、ユーザデバイス上で実施されるアクティビティは、ここで、ユーザインターネットアクティビティ中にユーザデバイス上のアクティビティの変化を誘導するように光源を制御するための制御信号を供給することによって規制されてもよい。ユーザデバイス上のアクティビティが、例えば、群内の最も安価な製品を購入しようとしている場合、照明出力は、最も安価な製品が見られているときには、例えば、電球色、又は赤みを帯びた色などの暖かさと関連する色、又は低頻度で変調する暖色光を提供することによって、ユーザデバイス上のアクティビティを促進してもよい。これは、ユーザデバイス上のアクティビティの変化を誘導し得る。
【００５６】
更に別の実施形態では、ユーザデバイスは、光源を制御するための照明コントローラに認証を提供するように構成されており、プロセッサは、上記認証を受信するように構成されている。上記ユーザデバイスは、本発明の第１の態様によるユーザデバイスであってもよく、又は本発明の第１の態様に関連しない別の（更なる）ユーザデバイスであってもよい。後者の場合、ユーザデバイスは、光源を制御するための照明コントローラに認証を提供する別個のスマートフォン又はウェアラブルであってもよい。上記認証は、無線接続によって照明コントローラのプロセッサに認証を通信することにより提供されてもよい。このような場合、プロセッサはこのようなデバイスと通信することができる。例えば、第１のユーザはユーザインターネットアクティビティのためにユーザデバイスを使用していてもよく、第２のユーザは、ユーザインターネットアクティビティを規制するために、照明システム（すなわち、照明コントローラのプロセッサ）に認証を提供し、本発明による照明システムを有効にする。このような場合、第１のユーザは子供で、第２のユーザは親であってもよく、親は、子供のユーザインターネットアクティビティの規制を望んでいる。別の例では、認証は、照明システムとの無線接続によって、ウェアラブルデバイスにより提供されてよい。ユーザインターネットアクティビティのためにユーザデバイスを使用するユーザは、その後、ユーザインターネットアクティビティを規制するように照明システムを自動的に認証してもよい。
【００５７】
ユーザインターネットアクティビティから、ユーザインターネットアクティビティ照明システム中にユーザデバイス上で実施されるユーザインターネットアクティビティの変化を誘導するように光源を制御するための制御信号への上記規制フィードバックループは、単一の照明システム内に統合されてもよいため、光源と、照明コントローラと、ユーザデバイスとを単一の照明システム内で具現化することも有利である。したがって、照明コントローラ、光源、及びユーザデバイスは、互いに適合してもよい。したがって、一実施形態では、本発明の第１の態様による照明コントローラと、光源と、ユーザデバイスと、を備える照明システムが提供される。
【００５８】
一実施形態では、ユーザデバイスを更に備え、光源はユーザデバイスの一部である、本発明による照明システムが提供される。光源をユーザデバイスの一部として有すると、より効率的な規制アクションが可能になる。すなわち、色、強度、色温度、及び変調の群からの少なくとも１つの照明特性を変化させるように光源を制御する制御信号が、ユーザインターネットアクティビティ中にユーザデバイス上で実施されるユーザインターネットアクティビティの変化を誘導するために光源に供給されてもよい。上記実施形態のように、光源がユーザデバイスの一部である場合、照明特性は、ユーザインターネットアクティビティのためにユーザデバイスを使用するユーザにとってより効果的であり得る。ユーザインターネットアクティビティを実施している間、光源は直接観察されてもよい。したがって、光源の効果はより大きくなり得る。例えば、一実施形態では、光源は、ユーザインターネットアクティビティが実施されるディスプレイ周囲の光源のアレイであってもよい。上記光源は、光の強度に応じて局所的な環境照明が提供されるように、ユーザデバイスの周囲環境を照明してもよい。別の実施形態では、光源は、ユーザインターネットアクティビティが実施されるディスプレイ内に含まれる光源のアレイであってもよい。例えば、ディスプレイの背面照明、又は発光ＬＥＤ、ＯＬＥＤディスプレイ自体などである。
【００５９】
一実施形態では、色、強度、色温度の群からの照明特性を検知し、センサ出力を提供するための光センサを更に備え、照明コントローラは、センサ出力を検知された情報として受信及び処理するように構成されている、本発明による照明システムが提供される。このような実施形態では、照明システムは、ユーザデバイス上のユーザインターネットアクティビティを規制するための規制アクションの開始点として機能し得る色温度初期値を見出すために、例えば、色温度などの環境照明特性を測定することができ、検知された情報を処理することができる。
【００６０】
本発明の更なる目的は、ユーザデバイス上で実施されるユーザインターネットアクティビティを規制するための照明コントローラによって実施される改良された方法を提供することである。このため、本発明は、オンライン金融取引を含む、ユーザデバイス上で実施されるユーザインターネットアクティビティを規制する方法であって、方法は、プロセッサを備える照明コントローラによって実施され、ユーザデバイス上のユーザインターネットアクティビティを示す情報を受信するステップと、上記情報をメモリに記憶するステップと、色温度の群からの照明特性を変化させるように光源を制御するための制御信号を得るために上記情報を処理するステップと、色温度の低下によってユーザがオンライン金融取引を実施するのを促進するために、又は色温度の上昇によってユーザがオンライン金融取引を実施するのを抑制するために、光源を制御するステップと、を含む、方法を更に提供する。
【００６１】
ユーザインターネットアクティビティ中に上記制御信号を出力することによって、ユーザデバイス上で実施されるユーザインターネットアクティビティの変化を誘導するように光源を制御することにより、このようなユーザインターネットアクティビティに対して規制を与えることが望ましい場合があるので、照明コントローラによって実施されるこのような方法は、ユーザデバイス上で実施されるユーザインターネットアクティビティが規制され得ることから、有利である。研究では、光源を制御することは、人の気分又は快適さに影響を与えることができるだけでなく、ユーザインターネットアクティビティなどの、ユーザデバイス上で実施されるアクティビティの変化（例えば、促進又は抑制）を誘導することもできることを示しているため、このような方法は、例えば、反復的、意思決定、又は嗜癖性のアクティビティなどの規制アクションから利する、ユーザデバイス上で実施されるユーザインターネットアクティビティに特に適している。更に、本方法に従い制御信号を供給することはまた、制御信号を出力することと解釈されてもよい。
【００６２】
光源を制御することは、人の気分又は快適さに影響を与えることができるだけでなく、ユーザインターネットアクティビティなどの、ユーザデバイス上で実施されるアクティビティの変化（例えば、促進又は抑制）を誘導することもできる。したがって、別の利点は、規制フィードバックループが光源を制御することを含む、ユーザインターネットアクティビティを規制するための規制手段が提供されることである。これは、例えば、環境照明を提供する光源を制御することによって、ユーザインターネットアクティビティを規制するための目立たない手段を提供してもよい。
【００６３】
例えば、ユーザデバイス上で実施されるユーザインターネットアクティビティは、オンラインショッピングに関連してもよい。オンラインショッピングアクティビティを示す情報は、方法に従いプロセッサによって受信されてもよい。上記情報は、リアルタイムデータ及び記憶されたデータの両方が特定の時間インスタンスに受信され得るように記憶されてもよい。上記情報は、色温度という照明特性を変化させるように光源を制御するための制御信号を得るために処理されてもよい。方法は、ユーザインターネットアクティビティ中に制御信号を出力することによって、ユーザインターネットデバイス上で実施されるオンラインショッピングアクティビティの変化を誘導するように光源を制御するステップを更に提供してもよい。したがって、ユーザインターネットアクティビティ中、照明コントローラは、オンラインショッピング行動を所望のとおりに規制してもよく、すなわち、光源は、寒色温度光を含む制御信号を提供することによってショッピング効果の抑制を誘導するように、又は暖色温度光を含む制御信号を提供することによってショッピング効果の促進を誘導するように制御されてもよい。この例が示すように、このような方法によって、ユーザインターネットアクティビティは所望するとおりに規制されてもよい。
【００６４】
あるいは、このような方法はまた、第１の方法による照明コントローラと光源とを備える照明システムによって実施されてもよい。
【００６５】
方法は、制御信号を得る際に、データベース情報を付加的に評価することができるように、データベース情報を付加的に受信するために、データベース情報を含むデータベースにアクセスするステップを更に含んでもよい。
【００６６】
一実施形態では、ユーザデバイス上で実施されるユーザインターネットアクティビティは、ショッピング、銀行取引、ギャンブル、ゲーム、寄付、格付け、又はポルノの群からのアクティビティに関連する、前述の照明コントローラによって実施される方法のいずれかに記載の方法が提供される。光源の制御は、ユーザインターネットアクティビティ（又は行動）の変化を誘導するための鋭敏な手段を提供し得るため、このようなアクティビティを本発明による照明コントローラを用いて規制することは有利であり得る。このようなユーザインターネットアクティビティはまた、嗜癖、反復、又は決定の傾向がより大きい場合があるため、規制を必要とする場合がある。
【００６７】
一実施形態では、光源を制御するための制御信号は、ユーザインターネットアクティビティを抑制するための寒色光温度を含み、光源を制御するための制御信号は、ユーザインターネットアクティビティを促進するための暖色光温度を含む、前述の方法のいずれかに記載の方法が提供される。このような実施形態は、ユーザインターネットアクティビティの変化を誘導する鋭敏かつ目立たない特性である光温度という特性が、ユーザインターネットアクティビティを規制するために使用されるため、有利である。あるいは、色、強度、色温度、及び変調の群からの照明特性が、ユーザインターネットアクティビティを促進する又は抑制するために実装されてもよい。
【００６８】
一実施形態では、前述の方法のいずれかに記載の方法であって、制御信号を得る際に、データベース情報を付加的に評価することができるように、データベース情報を付加的に受信するために、データベース情報を含むデータベースにアクセスするステップを更に含む方法が提供される。このようなデータベース情報は、財政データ、健康データ、又は個人ユーザ情報データを含んでもよい。
【００６９】
一実施形態では、前述の方法のいずれかに記載の方法であって、光源を制御するための認証を受信するステップを更に含む方法が提供される。
【００７０】
本発明は、更に、コンピュータプログラム製品に関する。したがって、本発明は、コンピューティングデバイス用のコンピュータプログラム製品であって、コンピューティングデバイスの処理ユニット上でコンピュータプログラム製品が実行されたとき、前述の本発明の方法を実施するためのコンピュータプログラムコードを含む、コンピュータプログラム製品を提供する。上記コンピュータプログラム製品は、本発明による照明システムによって実行されてもよい。例えば、上記処理ユニットはまた、本発明によるプロセッサ、又はユーザデバイス内に設けられた別個のプロセッサであってもよい。コンピュータプログラム製品によって上述の方法を実施することは、コンピュータプログラム製品によって実施可能な方法の特徴のみを含んでもよい。
【００７１】
したがって、本発明の態様は、コンピュータによって実行され得る、コンピュータ可読記憶デバイス上に記憶されたコンピュータプログラム命令の集合であり得るコンピュータプログラム製品として実装されてもよい。本発明の命令は、限定するものではないが、スクリプト、解釈可能プログラム、ダイナミックリンクライブラリ（dynamic link library；ＤＬＬ）、又はＪａｖａ（登録商標）クラスを含めた、任意の解釈可能又は実行可能なコードメカニズムとすることができる。命令は、完全に実行可能なプログラム、部分的に実行可能なプログラムとして、既存のプログラムに対する修正（例えば、アップデート）として、又は、既存のプログラムに関する拡張（例えば、プラグイン）として提供され得る。更には、本発明の処理の一部は、複数のコンピュータ又はプロセッサにわたって分散され得る。
【００７２】
ある段落における本発明の態様では、ユーザデバイス上で実施されるユーザインターネットアクティビティを規制するための照明コントローラであって、ユーザデバイス上のユーザインターネットアクティビティを示す情報を受信し、色、強度、色温度、及び変調の群からの少なくとも１つの照明特性を変化させるように光源を制御するための制御信号を得るために上記情報を処理し、ユーザインターネットアクティビティ中に、ユーザデバイス上で実施されるユーザインターネットアクティビティの変化を誘導するように光源を制御するための制御信号を供給するように構成されたプロセッサを備える、照明コントローラが提供される。
【００７３】
ある段落における本発明の態様では、ユーザデバイス上で実施されるユーザインターネットアクティビティを規制するための照明コントローラであって、ユーザインターネットアクティビティ中に、ユーザデバイス上のユーザインターネットアクティビティを示す情報を受信し、色、強度、色温度、及び変調の群からの少なくとも１つの照明特性を変化させるように光源を制御するための制御信号を得るために上記情報を処理し、ユーザインターネットアクティビティ中に、ユーザデバイス上で実施されるインターネットアクティビティをユーザが変化させるよう誘導するように光源を制御するための制御信号を供給するように構成されたプロセッサを備える、照明コントローラが提供される。
【００７４】
ある段落における本発明の態様では、プロセッサを備える照明コントローラによって実施される方法であって、ユーザデバイス上のユーザインターネットアクティビティを示す情報を受信するステップと、上記情報をメモリに記憶するステップと、色、強度、色温度、及び変調の群からの少なくとも１つの照明特性を変化させるように光源を制御するための制御信号を得るために、上記情報を処理するステップと、ユーザインターネットアクティビティ中に制御信号を供給することによってユーザデバイス上で実施されるユーザインターネットアクティビティの変化を誘導するように光源を制御するステップと、を含む、方法が提供される。
【００７５】
ある段落における本発明の態様では、光源の照明特性を第１の照明レベルから第２の照明レベルに変化させることによってユーザのインターネットアクティビティを第１のインターネットアクティビティレベルから第２のインターネットアクティビティレベルに規制するための照明コントローラであって、第１の照明レベルは第１のインターネットアクティビティレベルに関連付けられ、ユーザのインターネットアクティビティはユーザデバイス上で実施され、照明特性は、色、強度、色温度、及び変調の群からの少なくとも１つであり、照明コントローラは、（ｉ）ユーザインターネットアクティビティ中のユーザデバイス上の第１のインターネットアクティビティレベル、（ｉｉ）第１の照明レベル、を示す情報を受信し、（ｉｉｉ）第２の照明レベル、を示す情報を受信し、照明特性を第１の照明レベルから第２の照明レベルに変化させるように光源を制御するための制御信号を得るために、ポイント（ｉ）及び（ｉｉ）を示す上記情報並びにポイント（ｉｉｉ）を示す上記情報を処理し、光源を第２の照明レベルに制御するための制御信号を供給することによってユーザインターネットアクティビティを規制するように構成されたプロセッサを備える、照明コントローラが提供される。上記情報を処理するステップは、第１のインターネットアクティビティレベルと第２のインターネットアクティビティレベルとの間の差若しくは変化を決定するステップ、及び／又は照明レベルの変化分を、第１のユーザインターネットアクティビティと第２のユーザインターネットアクティビティとの間の上記差の関数として与えることによって第２の照明レベルを決定するステップを含んでもよい。したがって、フィードバックループ又はレギュレータが設けられる。第２の照明レベルは（照明コントローラによって設けられたフィードバックループにおいて第２のインターネットアクティビティレベルを達成するための）所望の照明レベルである。ユーザインターネットアクティビティレベルは、例えば、受信された命題の意図を示す統計値を含んでもよい。例えば、命題がオンラインショッピング行動であるとき、受信された命題の意図は、例えば、見た製品のビューの量、ユーザのクリック対話等であってもよい。例えば、上記レベルは、ユーザインターネットアクティビティを示す、受信された日付によって定量化されてもよい。上記データは、ユーザデバイスから直接、又は外部サーバから受信されてもよい。
【００７６】
本発明の第１の態様に適用する実施形態は、上述の段落の本発明の上記他の態様に準用することができる。
【図面の簡単な説明】
【００７７】
本発明は、ここで、非限定的な概略図面を用いて更に説明される。
【図１】ユーザデバイス上で実施されるユーザインターネットアクティビティを規制するための照明コントローラの実施形態であって、照明コントローラがプロセッサを備える、照明コントローラの実施形態を概略的に示す。
【図２】本発明による、ユーザデバイス上で実施されるユーザインターネットアクティビティを規制するための照明コントローラと光源とを備える照明システムの実施形態を概略的に示す。
【図３】本発明による、ユーザデバイス上で実施されるユーザインターネットアクティビティを規制するための照明コントローラと光源とを備える照明システムの実施形態であって、光源がユーザデバイス内に位置する、照明システムの実施形態を概略的に示す。
【図４】照明コントローラによって実施される方法の実施形態を概略的に示す。
【発明を実施するための形態】
【００７８】
図１は、非限定的な例によって、ユーザデバイス１０４上で実施されるユーザインターネットアクティビティを規制するための照明コントローラ１００の実施形態を概略的に示す。ユーザインターネットアクティビティはオンライン金融取引を含む。照明コントローラ１００は、ユーザデバイス１０４上のユーザインターネットアクティビティを示す情報１０２を受信するプロセッサ１０１を備える。プロセッサは上記情報１０２を処理して、色、強度、色温度、及び変調の群からの少なくとも１つの照明特性を変化させるように光源１０５を制御する制御信号１０３を得る。照明コントローラのプロセッサは、色温度の低下によってユーザがオンライン金融取引を実施するのを促進するために、又は色温度の上昇によってユーザがオンライン金融取引を実施するのを抑制するために、光源１０５を制御するための制御信号１０３を供給する。
【００７９】
図１は、プロセッサ１０１を概略的に更に示し、プロセッサ１０１は、オプションとして、ユーザデバイス１０４上のユーザインターネットアクティビティを示す情報をメモリ１０６に記憶し、制御信号１０３を得る際に、記憶された情報１０７を付加的に処理するためにメモリ１０６にアクセスする。
【００８０】
代替的実施形態では、メモリが存在しない場合、ユーザデバイス上のユーザインターネットアクティビティを規制する照明コントローラは、ユーザデバイス上のユーザインターネットアクティビティを示すリアルタイム情報を受信するだけでよい。
【００８１】
図１は、プロセッサ１０１を概略的に更に示し、プロセッサ１０１は、データベース情報１０８を含むデータベース１０９に付加的にアクセスする。プロセッサ１０１は、制御信号１０３を得る際にデータベース情報１０８を付加的に評価するために、データベース情報１０８を受信する。
【００８２】
代替的実施形態では、データベースは存在しなくてもよく、ユーザデバイス上のユーザインターネットアクティビティを規制するための照明コントローラは、ユーザデバイス上のユーザインターネットアクティビティを示すリアルタイム情報及びメモリに記憶された情報を受信するだけでよい。例えば、照明コントローラは、オンラインショッピングに関連するユーザインターネットアクティビティを規制してもよく、照明コントローラは、プライバシー又は法的な理由によりデータベースにアクセスすることは許可されない。制御信号を得る際にデータベース情報を省略することは、データ通信において、及び規制アクションの速度を規制するのにより効果的であり得る。
【００８３】
図１に示される実施形態を参照すると、上記プロセッサ１０１は、とりわけ、ユーザデバイス１０４上のユーザインターネットアクティビティを示す情報１０２を処理する。プロセッサ１０１は照明コントローラ１００の一部であり、照明コントローラ１００によって具現化される同一本体内に配置されている。あるいは、プロセッサ１０１は完全に又は部分的に、光源又はユーザデバイス内、したがって、外部デバイス内に配置されてもよい。このような場合、プロセッサ及び／又はプロセッサの処理能力は照明コントローラと共有されてもよい。
【００８４】
代替的実施形態（図示せず）では、プロセッサは、照明コントローラの外部の外部デバイスから無線情報を送信又は受信するための通信デバイスに接続されている。通信デバイスは、Ｂｌｕｅｔｏｏｔｈアンテナ、Ｗｉ−Ｆｉ受信機、ＲＦビーコン、可視光通信（ＶＬＣ）に適したカメラ又は光源であってもよい。このため、プロセッサは、ユーザデバイス上で実施されるユーザインターネットアクティビティを示す情報を、無線通信手段を介して受信してもよい。したがって、光源を制御するための制御信号もまた、無線接続により上記通信デバイスを介して送信されてもよい。このような代替的実施形態は、照明コントローラが、光源及びユーザデバイスとは別個に、かつ、これらから距離を置いて配置されてもよいため、照明コントローラにより多くの機能性を提供し得る。無線通信はまた、照明コントローラが無線通信のカバレッジエリア内の全ての適切なデバイスに接続することを可能にする。例えば、スマートウォッチなどのスマートウェアラブルデバイスは照明コントローラと通信してもよく、通信は、照明コントローラの規制アクションに関する情報を送信及び／又は受信することを含んでもよい。ユーザデバイス、光源、及び照明コントローラが存在する部屋に入る人は、例えば、ユーザインターネットアクティビティを規制するための認証情報を無線接続によって照明コントローラと共有してもよい。
【００８５】
照明コントローラ１００は、他のデバイスから分離され、独立型照明コントローラデバイスとして具現化された照明コントローラであってもよい。しかしながら、代替的に、照明コントローラは、なお自律型デバイスではあっても、ユーザデバイス又は光源の本体内に組み込まれてもよい。これにより、ユーザインターネットアクティビティを示す情報の受信及び処理が円滑になり得る。
【００８６】
代替的実施形態では、照明コントローラは、ユーザデバイス上に存在するアプリケーション又はコンピュータプログラム製品の一部であってもよく、ユーザデバイスは、ユーザインターネットアクティビティが実施されるユーザデバイス、又は別の「第３の」ユーザデバイスのいずれかであってもよい。このような場合、ユーザデバイス（例えば、ディスプレイ又はスマートフォン）のプロセッサは、照明コントローラと共有されてもよい。例えば、別のユーザデバイスはスマート電球などの光源であってもよく、本発明による照明コントローラと光源は１つのプロセッサを共有する。更に代替的には、本発明による照明コントローラは、例えば、ブリッジ、ユーザデバイスではないスマートフォン、又は別の照明コントローラデバイスなどの、他の別個の独立型デバイスの一部であってもよい。
【００８７】
ユーザデバイス１０４は、スマートフォンであってもよい。スマートフォンは、ユーザインターネットアクティビティを実施するのに適したデバイスである。スマートフォンは、本出願で述べられるアクティビティに特に適したデバイスである。あるいは、他の実施形態では、上記ユーザデバイスは、タブレット、ノートブック、パーソナルコンピュータ、ゲーム機、電子リーダ、スマート冷蔵庫、又はスマートテレビであってもよい。スマート冷蔵庫の場合、スマート冷蔵庫は、インターネット接続と、ユーザインターネットアクティビティ用のディスプレイとを含む。
【００８８】
メモリ１０６は、ユーザデバイス上のユーザインターネットアクティビティを示す情報を付加的に提供するが、ここでは、情報は記憶された情報である。記憶されたデータは、ユーザデバイス上の過去のユーザインターネットアクティビティを示す履歴データであってもよい。例えば、記憶された情報は、ユーザインターネットアクティビティの規制を示す過去の記録及び／又はユーザインターネットアクティビティに関する累積情報を含んでよい。このような情報は、受信された情報の全てが、制御信号を得るために処理されるときに考慮されてもよい。記憶された情報を利用することは、光源を制御するための制御信号を得る際により多くの情報を評価できるため、有利であり得る。これにより、ユーザインターネットアクティビティの改善された規制が可能になる。上記メモリ１０６は照明コントローラ内に配置され、プロセッサ１０１によってアクセス可能である。あるいは、他の実施形態では、メモリは、フラッシュメモリデバイス又はハードディスクドライブなどの外部メモリデバイス内に配置されてもよい。メモリはまた、ユーザデバイス内のメモリであってもよく、メモリはまた、リモートサーバなどのユーザデバイスを通じてインターネットによりアクセス可能であってもよい。
【００８９】
ユーザデバイス上１０４で実施されるユーザインターネットアクティビティの変化を誘導するように光源１０５を制御する制御信号１０３は、ユーザインターネットアクティビティ中に供給される。したがって、制御信号１０３は、直接規制アクションを提供する。制御信号１０３は、リアルタイムで受信された情報１０２及びメモリ１０６内に以前に記憶された情報１０７を処理することから得られる。データベース情報１０８もまた、制御信号１０３を得るための情報を更に受信するためにアクセス可能である。ユーザインターネットアクティビティを示す情報は、データベース情報を検索するためにデータベースにもアクセスする動機を提供し得る。データベースは、インターネットを通じてアクセス可能であってよく、又は照明コントローラ若しくはユーザデバイスのメモリに最初に記憶されてもよい。ユーザインターネットアクティビティを規制するために、記憶された情報１０７が必要とされない場合には、上記制御信号１０３は、リアルタイムで受信された情報１０２のみを含んでもよい。リアルタイム情報１０２はまた、メモリ１０６内に一時的に記憶され、その後、処理の便宜上、わずかな時間遅延を伴って、記憶された情報１０７として受信されてもよいことに留意されたい。更に、上記制御信号１０３は、プロセッサから発生する電気信号である。上記制御信号１０３は、色、強度、色温度、及び変調の群からの少なくとも１つの照明特性を変化させるように光源１０５を制御する。変調としては、例えば、光色変調、光強度変調、及び光方向変調が挙げられ得る。上記制御信号（１３０）はまた、複数の信号、例えば、複数の光源用の複数の信号、又は他の種類のデバイスの一部である光源を制御するための信号を含んでよい。
【００９０】
図１に示される実施形態を更に参照すると、プロセッサは、ユーザデバイス上のユーザインターネットアクティビティの変化を誘導するように光源を制御する。光源は、色、強度、色温度、及び変調の群からの少なくとも１つの照明特性を変化させることができる。光源１０５は、照明器具内のＬＥＤライトスポットである。ユーザデバイスは、照明器具の照明カバレッジエリア内にある。照明器具は、例えば部屋などのユーザデバイスが存在する領域を照明する。あるいは、光源は、従来の白熱型の光源、後付けランプ、又はＬＥＤ、ＯＬＥＤ、ＬＥＤストリップ、ピクセル化ＬＥＤのような半導体照明デバイスであってもよく、これらは照明器具又はユーザデバイス内に具現化されてもよい。例えば、光源はまた、例えば、バックライト、フロントライトなどのユーザデバイス内に組み込まれてもよく、又はＬＥＤ照明がディスプレイを取り囲むことを特徴とするＰｈｉｌｉｐｓ  Ａｍｂｉｌｉｇｈｔディスプレイなどの一体型ＬＥＤ照明であってもよい。図１に示される実施形態では、光源は、独立型ＬＥＤライトスポットとしてユーザデバイスから分離されている。光源は、例えば、Ｐｈｉｌｉｐｓ  Ｈｕｅのようなスマート電球又は類似の製品であってもよい。あるいは、光源はまた、少なくとも１つの光源であってもよく、光源は、光源のアレイの一部又は一連の光源の一部である。光源は、単一のコヒーレント光効果又は個々の光効果をそれぞれ提供してもよい。したがって、他の実施形態では、光源は複数の光源であってもよい。
【００９１】
ユーザデバイス上１０４で実施されるユーザインターネットアクティビティは、ショッピングアクティビティ及び金融取引を含む。ユーザインターネットアクティビティは、オンラインショッピングウェブサイトを訪問すること、商品を閲覧すること、商品をショッピングカートに追加すること、及びオンライン決済で精算することである。このようなアクティビティは、嗜癖性のショッピング行動を含むことがあるため、望ましくない場合がある。照明コントローラは、オンラインショッピングアクティビティ及びそれに関連する決済を規制する。照明コントローラ１００のプロセッサ１０１は、ユーザデバイス１０４上のユーザインターネットアクティビティを示す情報１０２を受信する。したがって、プロセッサは、訪問した特定のオンラインショッピングウェブサイトに関する情報及び上記ウェブサイトに費やされた時間を受信する。プロセッサ１０１はまた、メモリ１０６に記憶されている、記憶された情報１０７を受信する。例えば、プロセッサは、オンラインショッピングウェブサイトを訪問した頻度、及びウェブサイト上で特定の物品を見た頻度を受信する。画面上の動き、画面上のクリック行動、質問の記入、物品の選択、写真の拡大、費用の計算、ショッピングカート内の物品の追加又は削除などのユーザインターネットアクティビティを示す別の観察結果もまた受信されてもよい。プロセッサ１０１は更に、データベース情報１０８を受信するためにデータベース１０９にアクセスする。データベース情報は、ユーザインターネットアクティビティのためのユーザデバイスを使用したユーザのオンラインショッピング履歴を含み、履歴から、上記ユーザが商品を過度に購入していることを導いてもよい。データベース情報は、健康レポートから推測された健康データを更に含んでもよく、健康データにおいて、上記ユーザが買い物中毒者であること又は嗜癖行動を少なくとも起こしやすいことが明らかとなる。上記データベース情報１０９は、光源１０５を制御するための制御信号１０３を得るために、受信されたリアルタイム情報１０２及び記憶された情報１０７とともに評価される。評価は、以下のとおりであってもよい。ショッピングウェブサイトが所定の規制頻度閾値を超えて訪問されているとき、及び／又は商品がショッピングウェブサイト上で所定の規制ビューイング閾値を超えて見られているとき、及び／又はデータベース情報が過去の過度のショッピングを示すとき、抑制制御信号（前述のような）が得られてもよい。光源を制御するための上記制御信号１０３は、その後、ユーザインターネットアクティビティ中にユーザデバイス上１０４で実施されるユーザインターネットアクティビティの変化を誘導するために供給される。研究では、寒色（温度）の照明はショッピング行動を抑制することができ、反対に、暖色はショッピング行動を促進し得ることを示しているため、ＬＥＤライトスポット（すなわち光源１０５）の色及び色温度を、より寒色の照明条件に（例えば、高白色から低白色に、又は暖色（例えば赤みを帯びた）光を伴う色から寒色（例えば青みを帯びた）光を伴う色に）変更することによって、ユーザデバイス上で実施されるユーザインターネットアクティビティに対し変化を誘導する。
【００９２】
代替的実施形態では、ユーザデバイス上１０４で実施されるユーザインターネットアクティビティは、オンラインギャンブルを含む。照明コントローラのプロセッサは、オンラインギャンブルアクティビティを示す情報を受信する。これは、プレイされているゲームの種類、ある時点のクレジット、プレイされたゲームの量などのリアルタイムデータであってもよい。これはまた、オンラインギャンブルアクティビティのためにユーザデバイスを使用するユーザのクレジット履歴及び成功率などの記憶された情報であってもよい。プロセッサはまた、データベース情報を受信する。ユーザデバイスへの無線接続によって、プロセッサは、オンラインギャンブルアクティビティのためにユーザデバイスを使用するユーザの心拍数及び血圧などの生理学的状態に関するデータベース情報を受信する。ユーザデバイスはウェアラブルデバイスであってもよい。データベース情報は、上記ユーザのギャンブル履歴であってもよい。上記情報の全てを用いて、光源を制御するためのより効果的な制御信号が得られる。オンラインギャンブルアクティビティが余暇のために望まれており、上記ユーザの生理学的状態が良好でない（例えば、登録された）健康状態を示さない場合、より多くの金銭の消費を誘発するために（研究では、人は暖色温度を有する環境においてより多く消費することを示しているため）、制御信号は、より快適な環境（実際のカジノのような）を作り出すために強度をより低い設定へと変化させ、色温度を（昼白色から）暖かい赤色光に低下させるような照明特性を含んでもよい。オンラインギャンブルアクティビティが望まれない場合、又は高血圧又は高心拍数など、上記ユーザの生理学的特性が低下しているとき、照明コントローラは、照明特性を、寒色温度（金銭の消費を低減させるため）、より高強度の光（ギャンブルへの集中をそらすためのよりフォーマルな環境を作り出すため）、又は光の連続的なわずかな変調（警報状態を示すため）に変化させるように、光源を制御するための制御信号を生成してもよい。
【００９３】
代替的実施形態では、ユーザデバイス上１０４で実施されるユーザインターネットアクティビティは、比較ウェブサイト上でホテルを格付けすることを含む。照明コントローラは、格付けアクティビティを規制する。格付け機能の閲覧又は格付け機能への移動又は格付け機能のクリックによる格付けプロセスの初期化などの、ユーザの格付けアクティビティを示す情報がプロセッサによって受信される。上記情報を処理することにより、格付けアクティビティ中に、ユーザデバイス上で実施される格付けアクティビティの変化を誘導するように光源を制御するための制御信号が供給される。したがって、暖色光は、上記ユーザが、例えばより快適に感じる照明環境を提供することができることから、制御信号は、格付けのためにユーザデバイスを使用するユーザがホテルをより高く格付けするよう促すために暖色温度光を含んでもよい。照明は室内の周囲照明であってもよい。更なる代替的実施形態では、上記格付けアクティビティは、クラウドソースウェブサイト上での格付け、又はソーシャルメディア上のビデオの格付けを含んでもよい。
【００９４】
代替的実施形態では、ユーザデバイス上１０４で実施されるユーザインターネットアクティビティは、ポルノに関連するウェブサイトの訪問、及びポルノに対する支払いを含む。このようなアクティビティは、ユーザインターネットアクティビティのためにユーザデバイスを使用するユーザが未成年又はセックス中毒者である可能性があるため、望ましくない場合がある。訪問したポルノウェブサイトのタイプに関する情報、特定のページに入るために支払った金額、決済自体、ウェブサイトの訪問に費やされた時間は、制御信号を得るためにプロセッサにより処理される。記憶された情報は、制御信号を得るために使用される。記憶された情報は、ポルノウェブサイトの訪問履歴、上記ウェブサイト上で実施されたアクティビティ、及び以前の決済を含む。光源を制御するための制御信号は、その後、ユーザインターネットアクティビティ中にユーザデバイス上で実施されるユーザインターネットアクティビティの変化を誘導するために供給される。ユーザデバイスは、インターネットアクティビティが実施されるタブレットタッチスクリーンディスプレイである。光源は、ディスプレイを取り囲む光源セット、及びユーザがポルノに関連するウェブサイトを訪問するディスプレイ内の光源である。研究では、（例えば、昼白色又は赤色照明から）より寒色の青色照明への色温度の上昇は、決済を抑制することを示しているため、ディスプレイを取り囲む及びディスプレイ内の照明の色及び色温度をより寒色の青色照明条件に変更することによって、ユーザデバイス上で実施されるユーザインターネットアクティビティに対し変化を誘導する。制御信号は、上記光源の強度及び変調を変化させるための信号も含む。ディスプレイの輝度を高めること、及び照明を変調させることによって、上記ディスプレイを使用するユーザは、ポルノウェブサイトの訪問を継続することを抑制される（又は少なくとも不快にされる）。したがって、規制アクションは照明コントローラによって提供される。特定のユーザに不適切なコンテンツを提供すると考えられ、訪問頻度、訪問の所要時間及び／又は消費される金額が制限されるべきである任意の他のウェブサイトに対して同じ手法が使用されてもよい。
【００９５】
代替的実施形態では、ユーザデバイス上１０４で実施されるユーザインターネットアクティビティは、客の問題を解決するための顧客担当者とのメール／チャットのオンライン通信対話を含む。相互信頼はコミュニケーションの向上を可能にするため、客の問題を効率的かつ効果的に解決するために、このようなアクティビティには相互信頼が必要である。照明コントローラのプロセッサは、顧客担当者とのオンラインメール／チャットを示す情報を受信する。これは、メールの音声データ又は文字データであってもよい。プロセッサは上記情報を処理する。いくつかの場合では、ユーザデバイスを使用するユーザとオンライン顧客担当者との間の相互信頼を高めることが望ましい場合がある。あるいは、例えば、顧客担当者が何らかの人工知能を持つボットを含む場合、ユーザの一方向の相互信頼が高まってもよい。その後、上記情報を処理することにより、メール／チャットアクティビティ中に、ユーザデバイス上で実施されるオンライン通信対話の変化を誘導するように光源を制御するための制御信号が供給される。したがって、研究では、暖色光は、上記ユーザがより高い相互信頼を感じる照明環境を提供することができることを示しているため、制御信号は、顧客サービス担当者とユーザの通信対話中に、ユーザデバイスを使用するユーザの相互信頼を高めて客の問題を解決するために、暖色温度光を含んでもよい。
【００９６】
図２は、非限定的な例により、本発明による照明コントローラ１００及び光源９０５を備える照明システム２００の実施形態を概略的に示す。照明コントローラ１００は、ユーザデバイス９０４上のユーザインターネットアクティビティを示す情報９０２を受信するプロセッサ９０１を備える。プロセッサ９０１は、色、強度、色温度、及び変調の群からの少なくとも１つの照明特性を変化させるように光源９０５を制御するための制御信号９０３を得るために、上記情報９０２を処理する。プロセッサは更に、ユーザインターネットアクティビティ中に、ユーザデバイス９０４上で実施されるユーザインターネットアクティビティの変化を誘導するように光源９０５を制御するための制御信号９０３を供給する。プロセッサ９０１は、オプションとして、ユーザデバイス１０４上のユーザインターネットアクティビティを示す情報をメモリ９０６に記憶する。プロセッサ９０１は、オプションとして、制御信号９０３を得る際に、記憶された情報を受信し、処理するためにメモリ９０６にアクセスする。
【００９７】
図２に示される実施形態を参照すると、光源９０５は、室内に存在する接続された光源のアレイである。これには、天井の照明器具、ランプ又はＰｈｉｌｉｐｓ  Ｌｉｖｉｎｇ  Ｃｏｌｏｒｓ照明などの室内に存在する照明デバイス、及びＡｍｂｉｌｉｇｈｔテレビ又はスマート家具照明などの他のデバイスに組み込まれた光源を含む。ユーザデバイス９０４は、上記室内に存在するスマートフォン、タブレット、又はデスクトップＰＣであってもよい。ユーザデバイス９０４上で実施されるユーザインターネットアクティビティは、商品の購入などのオンライン金融取引を含む。あるいは、ユーザインターネットアクティビティは、証券取引所での買付、又はゲーム内でのクレジット購入、又はビデオ及び映画等の瞬時メディアコンテンツの購入であってもよい。
【００９８】
ここでは、照明コントローラ１００は、ユーザデバイス上で実行されるアプリケーションの一部である。プロセッサ９０１は、ユーザデバイスのプロセッサと共有されてもよい。メモリも同様に共有されるが、その代わりに、別個のメモリデバイス、例えば、ＸＤカードであってもよい。照明システムを示す代替的実施形態では、照明コントローラは、ブリッジなどの独立型デバイスである。照明システムを示す更なる代替的実施形態では、照明コントローラ及び光源は、照明システムの同一のデバイス本体内に具現化される。したがって、照明システムは、照明コントローラと光源とが単一のデバイス内に組み込まれたスマート電球であってもよい。
【００９９】
照明コントローラ１００は、無線ＺｉｇＢｅｅ接続（図示せず）によって光源９０５に接続されている。代替的に、これは、Ｗｉ−Ｆｉ、Ｂｌｕｅｔｏｏｔｈ、ＲＦ、又はＶＬＣであってもよい。結果として、ユーザデバイス９０４上で実施されるユーザインターネットアクティビティを規制するための照明システム２００が提供される。商品購入というユーザインターネットアクティビティは、ユーザデバイス（スマートフォン）を使用するユーザが商品購入に適格でない場合があるため、又は買い物中毒者の可能性があるため、又は保護下にある未成年の可能性があるため、望ましくない場合がある。照明システム２００は、オンライン購入アクティビティを規制してもよい。照明コントローラ１００のプロセッサ９０１は、ユーザデバイス９０４上のユーザインターネットアクティビティを示す情報９０４を受信する。情報は、オンライン購入に関するデータ、取引の量及び種類を含む。プロセッサ９０１はまた、メモリ９０６に記憶されている、記憶された情報９０７を受信する。したがって、プロセッサ９０１は、ユーザデバイス９０４上で実施された購入履歴に関する、記憶された情報９０７を受信する。上記受信された情報（リアルタイム情報９０２及び記憶された情報９０７の両方）は、光源９０５のアレイを制御するための制御信号９０３を得るために処理される。例えば、製品又は商品が規制閾値よりも高い価値で購入されるとき、及び／又は記憶された情報が、残りのクレジットが不十分であること、若しくは借入期間が規制期限を過ぎたことを示すとき、抑制制御信号（前述のような）が得られてもよい。光源９０５を制御するための上記制御信号１０３は、その後、ユーザインターネットアクティビティ中にユーザデバイス上１０４で実施されるユーザインターネットアクティビティの変化を誘導するために供給される。上記制御信号９０３は、無線ＺｉｇＢｅｅ接続（図示せず）によって光源９０５のアレイ内の光源のそれぞれに提供される。研究では、寒色温度を有する照明は購入を抑制することができることを示しているため、光源９０５の色温度を寒色温度条件に変更することにより、ユーザデバイス上で実施されるユーザインターネットアクティビティに対し変化を誘導する。
【０１００】
図２に示される実施形態を更に参照すると、プロセッサ９０１は更に、光源９０５を制御するための認証２０１を受信する。照明システム２００によって提供される規制アクションは、認証２０１なしでは必ずしも望ましいとは限らない場合がある。ここでは、認証２０１は外部ソースによって提供される。より具体的には、購入というユーザインターネットアクティビティのためにユーザデバイス９０４を使用する特定のユーザを規制することができるように、認証は、ユーザデバイス９０４のメモリの一部において利用可能である。認証は、例えば、子供のスマートフォン上で親により提供されてもよい。あるいは、買い物中毒者のスマートフォン上で医師により提供されてもよい。代替的実施形態（図示せず）では、認証は、外部サーバにより提供されてもよい。プロセッサ９０１は、光源９０５を制御するための認証を受信する。このような外部サーバは、オンライン小売店のサーバ、個人情報又は健康情報を含む機関データベースのサーバ、ユーザ認証を含む機関データベースのサーバ、自然人の個人サーバ、又は市場監督庁のサーバであってもよい。
【０１０１】
代替的実施形態（図示せず）では、プロセッサ９０１は、光源９０５を制御するための認証２０１を受信する。認証２０１は、本発明による照明コントローラ１００に認証２０１を提供するためのデジタルプロトコルを含む光源９０５によって提供される。これは、製造時から認証が既に存在する（照明デバイス内の）プラグアンドプレイ光源であってもよい。
【０１０２】
代替的実施形態（図示せず）では、認証はまた、ユーザ入力デバイスによって照明コントローラに提供されてもよい。上記ユーザ入力デバイスは、照明コントローラの一部であってもよく、又は照明コントローラと接続されていてもよい。ユーザ入力は、タッチインターフェースなどのユーザインターフェースによって提供されてもよく、ユーザ入力デバイスはタッチスクリーンである。
【０１０３】
図３は、図２の実施形態に類似する、本発明による照明コントローラ１００及び光源８０５を備える照明システム３００の実施形態を概略的に示す。光源８０５はユーザデバイス８０４の一部である。ここでは、ユーザデバイス８０４は、ポルノコンテンツを観るというユーザインターネットアクティビティが実施されるスマートテレビである。あるいは、これは、商品を購入するためにウェブショップを閲覧することであり得る。光源８０５は、スマートテレビ８０４のディスプレイに組み込まれたＬＥＤ照明である。例えば、ＬＣＤディスプレイのバックライト又はＯＬＥＤディスプレイのＬＥＤである。あるいは、光源はスマートテレビを取り囲んでいてもよい。ユーザインターネットアクティビティを示す情報８０２は、閲覧されたポルノコンテンツのタイプ、並びにカーソル移動及びポルノコンテンツに対する行動を含む。照明コントローラ１００のプロセッサ８０１は、ユーザデバイス上８０４のユーザインターネットアクティビティを示す情報８０２を受信する。プロセッサ８０１はまた、メモリ８０６に記憶されている、記憶された情報８０７を受信する。したがって、プロセッサ８０１は、ポルノコンテンツを観た履歴及び頻度を受信する。上記受信されたリアルタイム情報８０２及び記憶された情報８０７は、光源８０５を制御するための制御信号８０３を得るために処理される。光源８０５を制御するための上記制御信号８０３は、その後、ユーザインターネットアクティビティ中にユーザデバイス上８０４で実施されるユーザインターネットアクティビティの変化を誘導するために供給される。スマートテレビ８０４のディスプレイ内のＬＥＤ光の強度及び変調を最大輝度条件に変更し、その後、輝度を変調させることによって、ユーザデバイス８０４上で実施されるユーザインターネットアクティビティに対し変化を誘導する。輝度を高めると、よりフォーマルな環境という潜在意識下の知覚を生じさせ、フォーマルな設定により、消費されるポルノコンテンツが少なくなる。強度の変調は、例えば、変調の照明特性によってユーザインターネットアクティビティに不適切としてフラグが付けられるように、警報を模した状態を誘導する。当該明確に知覚可能な照明効果によって、ユーザインターネットアクティビティの変化が誘導され、故に、望ましくないユーザインターネットアクティビティが規制される。
【０１０４】
図３に示される実施形態を参照すると、照明システム３００は、照明コントローラ１００と、光源８０５と、ユーザデバイス８０４とを備え、後者の２つは一体化されている。照明コントローラは、ユーザデバイス８０４及び光源８０５と接続している別個のデバイスである。接続は無線Ｗｉ−Ｆｉ接続であるが、代替的に、有線接続、Ｂｌｕｅｔｏｏｔｈ、ＺｉｇＢｅｅ、ＲＦ、又はＶＬＣであってもよい。更に、代替的に、照明システム３００が単一のデバイス内に具現化されるように、照明コントローラ１００はまた、ユーザデバイス８０４に組み込まれてもよい。
【０１０５】
照明システム３００のプロセッサは、光源８０５を制御するための認証２０１を受信する。上記認証は、無線接続（図示せず）を用いてスマートフォンなどの別のユーザデバイスによりプロセッサ８０１に提供される。このような認証は、照明システムが、ユーザインターネットアクティビティをいつ規制するか、及びユーザインターネットアクティビティをいつ規制しないかについて命令されるため有益である。光源を制御するための認証は、ユーザインターネットアクティビティにも依存してよい。例えば、ユーザインターネットアクティビティが認証の条件に適合しない場合、認証は提供されなくてもよい。あるいは、各ユーザデバイスが、ユーザインターネットアクティビティのためにユーザデバイスを使用する様々なユーザに対する認証を既に含み得るように、認証は、例えば、ユーザデバイス自体内のメモリ、サーバ、又はデータベースに記憶されてもよい。
【０１０６】
図４は、非限定的な例によって、プロセッサ５０１を備える照明コントローラによって実施される方法の実施形態を概略的に示す。方法は、ユーザデバイス５０４上のユーザインターネットアクティビティ７０１、７０２、７０３、７０４を示す情報６０１を受信するステップと、上記情報６０２をメモリ５０８に記憶するステップと、色、強度、色温度、及び変調の群からの少なくとも１つの照明特性を変化させる６０６ように光源５０２を制御するための制御信号５０３を得るために、上記情報６０３を処理するステップと、ユーザインターネットアクティビティ中に制御信号を供給する６０５ことによってユーザデバイス５０４上で実施されるユーザインターネットアクティビティの変化６０６を誘導するように光源５０２を制御する６０２ステップと、を実施する。
【０１０７】
ユーザデバイスは、ここでは、デスクトップコンピュータであってもよい。光源は、デスクトップコンピュータに近接しておりデスクトップコンピュータのディスプレイ画面及び／又はユーザ入力デバイスに照明条件を提供するテーブルランプなどの照明器具であってもよい。ユーザデバイス５０４上で実施されるユーザインターネットアクティビティは、オンラインショッピング及び商品の購入であってもよい。ユーザデバイス５０４を使用するユーザが買い物中毒である又は銀行口座に預金残高がない可能性があるため、ユーザインターネットアクティビティ５０４は望ましくない場合がある。デスクトップコンピュータ５０４上のユーザインターネットアクティビティを示す情報６０１は、訪問したウェブサイト７０１、商品の閲覧に関するデータ７０２、ショッピングカートへの商品の追加７０３、オンライン決済での精算７０４を含む。このようなアクティビティは、嗜癖性のショッピング行動を含むことがあるため、望ましくない場合がある。プロセッサ５０１を備える照明コントローラ５００によって実施される方法は、オンラインショッピング及び購入アクティビティを規制するために実施されてもよい。
【０１０８】
研究では、寒色温度の照明が、オンラインショッピング及び購入挙動を抑制することができることを示しているため、テーブルランプ５０２（すなわち、光源、ゆえに、光源に関連する照明環境）の色及び色温度をより寒色温度の照明条件に変更することによって、ユーザデバイス５０４上で実施されるユーザインターネットアクティビティに対して変化６０６を誘導する。
【図１】
2020500408.tif 000003
【図２】
2020500408.tif 000004
【図３】
2020500408.tif 000005
【図４】
2020500408.tif 000006
【国際調査報告】
2020500408.tif 000007
2020500408.tif 000008